(57)【要約】【課題】  グラス等の縁部に簡便に係止可能で、興趣をそそることができるメッセージカードを提供する。【解決手段】シート片１の中央部に形成した切込み２により左右対称の係止片３を形成し、係止片３はその上部とシート片１の本体とを連結部により連結すると共に、係止片３の下方は自由端として垂れ下げ、シート片１の本体と係止片３とによりグラスＧの上縁部Ｅを挟み込んで係止する。【選択図】図５
2010274570.tif 000002
【特許請求の範囲】
【請求項１】
シート片の中央部に形成した切込みにより左右対称の係止片を形成し、該係止片はその上部と前記シート片の本体とを連結部により連結すると共に、前記係止片の下方は自由端として垂れ下げ、前記シート片の本体と前記係止片とにより被係止部材の上縁部を挟み込んで係止することを特徴とするメッセージカード。
【請求項２】
前記連結部の左右両側の前記切込みは斜め上方に膨らむ曲線部としたことを特徴とする請求項１に記載のメッセージカード。
【請求項３】
前記切込みの下部の中心線の左右両側は内側に膨らむ曲線部としたことを特徴とする請求項１に記載のメッセージカード。
【請求項４】
前記切込みは略ハート型形状としたことを特徴とする請求項１に記載のメッセージカード。
【請求項５】
前記切込みにより前記シート片の本体と前記係止片の間に切取りによる孔部を設けたことを特徴とする請求項１〜４の何れか１つの請求項に記載のメッセージカード。
【請求項６】
前記シート片の中央部には上下方向に折目を設けたことを特徴とする請求項１〜５の何れか１つの請求項に記載のメッセージカード。
【請求項７】
シート片の中央部に形成した切込みにより左右対称の係止片を形成し、該係止片はその上部と前記シート片の本体とを連結部により連結すると共に、前記係止片の下方は自由端として垂れ下げたメッセージカードを、中央で２つ折りに折り曲げた後に、前記シート片の本体と前記係止片とにより被係止部材の上縁部を挟み込んで係止することを特徴とするメッセージカードの取付方法。
【発明の詳細な説明】
【技術分野】
【０００１】
本発明は、例えばワイングラス、シャンパングラス等のグラスやカップ等の縁部に係止し得るメッセージカード及びその取付方法に関するものである。
【背景技術】
【０００２】
従来から、結婚式やパーティ等においては、出席者の座席には、主催者からのメッセージカードや席札が配布され、主催者からのメッセージや名前が記載されている。例えば、特許文献１におけるメッセージカードや席札は二つ折りにして、出席者の席に置いている。
【先行技術文献】
【特許文献】
【０００３】
【特許文献１】特開平１１−１５７２６０号公報
【発明の概要】
【発明が解決しようとする課題】
【０００４】
しかしながら、従来のメッセージカードや席札は、テーブルの上に置いてあるだけで、面白味に欠けると云う欠点を有している。
【０００５】
本発明の目的は、上述の課題を解消し、グラスやカップの縁部に容易に係止でき、結婚式やパーティの雰囲気を盛り上げる演出が可能なメッセージカード及びその取付方法を提供することにある。
【課題を解決するための手段】
【０００６】
上記目的を達成するための本発明に係るメッセージカードは、シート片の中央部に形成した切込みにより左右対称の係止片を形成し、該係止片はその上部と前記シート片の本体とを連結部により連結すると共に、該連結部の左右両側の前記切込みは外側に膨らむ曲線部とし、前記係止片の下方は自由端として垂れ下げ、前記シート片の本体と前記係止片とにより被係止部材の上縁部を挟み込んで係止することを特徴とする。
【０００７】
また、上記目的を達成するための本発明に係るメッセージカードの取付方法は、シート片の中央部に形成した切込みにより左右対称の係止片を形成し、該係止片はその上部と前記シート片の本体とを連結部により連結すると共に、前記係止片の下方は自由端として垂れ下げたメッセージカードを、中央で２つ折りに折り曲げた後に、前記シート片の本体と前記係止片とにより被係止部材の上縁部を挟み込んで係止することを特徴とする。
【発明の効果】
【０００８】
本発明に係るメッセージカード及びその取付方法は、被係止部材の上縁部に簡便に係止可能で、興趣をそそることができる。
【図面の簡単な説明】
【０００９】
【図１】実施例１のメッセージカードの平面図である。
【図２】背面図である。
【図３】グラスに取り付ける状態の側面図である。
【図４】グラスに取り付けた状態の側面図である。
【図５】グラスに取り付けた状態の斜視図である。
【図６】実施例２のメッセージカードの平面図である。
【発明を実施するための形態】
【００１０】
本発明を図示の実施例に基づいて詳細に説明する。
【実施例１】
【００１１】
図１は本実施例のメッセージカードの平面図、図２は背面図を示している。
本実施例のメッセージカードは、例えば左右対称の蝶の図形に切り抜かれた紙又は合成樹脂から成るシート片１から成り、表面１ａは白色又は同一色に着色され、裏面１ｂには例えば蝶の羽根の図柄がカラー印刷されている。シート片１の略中央部に、切込み２による略ハート型形状の係止片３が形成され、係止片３は略ハート型形状の上部中央においてシート片１の本体と繋がっている。
【００１２】
つまり、切込み２は左右対称の略ハート型形状の上部中央部に位置する連結部を残し、略ハート型形状に周囲部分が切込まれ、係止片３の下方に垂れ下げて先端は自由端とされ、係止片３のシート片１の本体との連結部の左右両側の切込み２は斜め上方に膨らむ第１の曲線部４とされている。また、係止片の下部の左右両側の切込み２は内側に膨らむ第２の曲線部５とされている。
【００１３】
また、シート片１の中央部の上下方向の中心線に沿って、係止片３を含めて、プレス等により折目６が設けられ、図１の裏面１ｂにおいて外折り、図２の表面１ａにおいては内折りとなっている。
【００１４】
結婚式やパーティ等の宴席において、本実施例におけるメッセージカードを使用する際には、例えば主催者がシート片１の表面１ａにメッセージＭや式次第を記入したり印刷をしておく。また、メッセージＭ等は印刷した後に、シート片１の形状に切り抜くようにすると、大量のシート片１に同じメッセージＭ等を書くことができる。
【００１５】
そして、シート片１の表面１ａを内側として、中央で折目６に沿って左右から２つ折りにした後に、図３、図４に示すように切込み２による形成された係止片３を例えば被係止部材であるグラスＧの内側に挿し込み、係止片３とシート片１の本体側とでグラスＧの上縁部Ｅを挟み込むことにより、シート片１をグラスＧに係止することができる。
【００１６】
これにより、メッセージカードは図５に示すように、グラスＧの上縁部Ｅで羽根を休めているカラフルな蝶のように見え、結婚式やパーティの雰囲気を盛り上げることができる。そして、出席者が自分の席に着席すると、表面１ａに記載されている主催者からのメッセージＭ等を読むことができる。
【００１７】
このように、シート片１の本体に上部中央部で繋げた係止片３を略ハート型形状の切込み２により形成し、特に係止片３の連結部の左右を上側に丸く外側に切り込んだ第１の曲線部４を設けることにより、シート片１をグラスＧの上縁部Ｅに引っ掛けた際に、切込み２の略ハート型形状の第１の曲線部４がグラスＧの上縁部Ｅの２個所と当接する。また、２つの第２の曲線部５がグラスＧの側面の２個所の計４個所において当接するので、シート片１が安定する。
【００１８】
これにより、シート片１の本体側が上縁部Ｅの外面に接触すると共に、係止片３がグラスＧの内面に接触するため、メッセージカードを安定してグラスＧの上縁部Ｅに係止することができる。
【００１９】
なお、切込み２の下部の第２の曲線部５は必ずしも設けなくてもよい。この第２の曲線部５を設けはなかった場合には、第１の曲線部４がグラスＧの上縁部Ｅの２個所と当接すると共に、切込み２の縁部がグラスＧの側面で当接し、計３個所で係止することになる。
【実施例２】
【００２０】
図６は実施例２のメッセージカードの平面図である。
実施例１においては、係止片３はシート片１に切込み２を入れただけであるが、本実施例２においては、シート片１１に略ハート型形状に切込み１２を設けると共に、孔部１７を穿けてシート片１１を切取り、シート片１１の本体から三角ひれ形状の係止片１３を孔部１７内に垂れ下げている。なお、シート片１１の本体側に第１の曲線部１４、第２の曲線部１５を設け、更には折目１６を設けることは実施例１と同様である。
【００２１】
本実施例２のシート片１１において、略ハート型形状に切り抜いた孔部１７内に上端の連結部から三角ひれ状に垂れ下げた係止片１３を用いて、実施例１と同様にメッセージカードをグラスＧの４個所において係止することができる。
【００２２】
なお、本実施例１、２においては、表面１ａにメッセージＭを記入するように使用したが、メッセージＭの代りに出席者の名前を記入することにより席札として使用することもできる。また、シート片１、１１にプレス等により折目６、１５を形成しているが、必ずしもその必要はなく、その都度、折り曲げてもよい。
【００２３】
なお、シート片１、１１の外形を蝶の形状としたが、蝶以外の例えば花や動物或いは幾何学的模様等の任意の形状とすることもできる。
【符号の説明】
【００２４】
１、１１  シート片
１ａ  表面
１ｂ  裏面
２、１２  切込み
３、１３  係止片
４、１４  第１の曲線部
５、１５  第２の曲線部
６、１６  折目
１７  孔部
Ｅ  上縁部
Ｇ  グラス
【図１】
2010274570.tif 000003
【図２】
2010274570.tif 000004
【図３】
2010274570.tif 000005
【図４】
2010274570.tif 000006
【図５】
2010274570.tif 000007
【図６】
2010274570.tif 000008